(57)【特許請求の範囲】
【請求項１】
光ファイバーの直径に相当する円の半円形状の溝を複数並設した樹脂製の２個の固定板Ａ、Ｂを対向させて形成されるそれぞれ円形状の溝間に固定治具によって一定挟持幅に制御して光ファイバーを挟持し、固定板Ａ、Ｂを固定して固定ユニットを形成し、固定ユニットをライン状になるよう連結することを特徴とするライン状ライトガイドの製造方法。
【請求項２】
固定ユニットをライン状になるよう連結板により連結することを特徴とする請求項１に記載のライン状ライトガイドの製造方法。
【請求項３】
光ファイバーとしてプラスチック光ファイバーを用い、該プラスチック光ファイバーの固定板による挟持部分に予め溶融により太部を形成することを特徴とする請求項１記載のライン状ライトガイドの製造方法。
【発明の詳細な説明】
【０００１】
【発明の属する技術分野】
本発明は、簡易にライン状ライトガイドを製造する方法に関する。
【０００２】
【従来の技術】
従来、光学ファイバーを用いたライン状ライトガイドの製造には、光学ファイバーをドラム等に隙間なく巻き付けてシート状とし、そのシートを長形の口金に挟み端面を研磨する、光学ファイバーを１本ずつ引き揃えて接着し、長形の口金に挟み端面を研磨する等の方法がある。
【０００３】
しかしながら、ドラム等に巻き付ける方法では、光学ファイバーの長さ、ライン長に制約があり、また任意のピッチにすることが困難であり、１本ずつ引き揃える方法では、光学ファイバーを所定間隔に接着する或いは必要なライン長を得るのに極めて手間がかかる等の問題がある。
【０００４】
【発明が解決しようとする課題】
本発明の目的は、光学ファイバーを用い、長さに制約がなく、任意のピッチに光学ファイバーを並べた所望のライン長のライン状ライトガイドを簡易に得ることにある。
【０００５】
【課題を解決するための手段】
本発明は、光ファイバーの直径に相当する円の半円形状の溝を複数並設した樹脂製の２個の固定板Ａ、Ｂを対向させて形成されるそれぞれ円形状の溝間に固定治具によって一定挟持幅に制御して光ファイバーを挟持し、固定板Ａ、Ｂを固定して固定ユニットを形成し、固定ユニットをライン状になるよう連結することを特徴とするライン状ライトガイドの製造方法にある。
【０００６】
【発明の実施の形態】
本発明は、光ファイバーの固定ユニットを形成してライン状ライトガイドを製造することにあり、さらに、このユニットを連結して任意の長さのライン状ライトガイドを製造することにある。
【０００７】
光ファイバーの固定ユニットは、光ファイバーの直径に相当する円の半円形状の溝を複数並設した２個の固定板Ａ、Ｂを用い、２個の固定板Ａ、Ｂの溝面を対向させて形成されるそれぞれ向かい合う溝間に光ファイバーを挿入し、溝間にて光ファイバーを挟持してネジ等で両固定板を固定する。また、固定板Ａ、Ｂの一方の溝面の半円形状の各溝に光ファイバーを挿入し、他方の固定板の溝面を対向する半円形状の溝を合わせ、光ファイバーを挟持してネジ等で両固定板を固定してもよい。
【０００８】
特に本発明においては、２個の固定板Ａ、Ｂを予め緩くその溝面をネジ等で固定し、２個の固定板Ａ、Ｂの溝面を合わせて対向して形成される向かい合う溝間がほぼ円形状となるようにしておき、それぞれの溝間に光ファイバーを挿入する方法が好ましく用いられる。
【０００９】
光ファイバーとしてプラスチック光ファイバーを用いるときは、固定板による挟持部分の光ファイバーの一部に予め溶融により太部を形成しておくならば、挿入、固定後の抜け落ちがなく、また容易に挿入作業を行い得る。
【００１０】
また、各溝間で光ファイバーを挟持し固定する際、両固定板は好ましくはネジで固定されるが、固定板の固定により必要以上に光ファイバーを圧縮し変形させないよう２個の固定板を一定間隔に維持する固定板間に内設する板状の幅固定治具、或いは２個の固定板が離反し光ファイバーが抜けないよう固定板間に跨設するかすがい状の幅固定治具によって光ファイバーの挟持幅を制御することが好ましい。これら幅固定治具は、任意の箇所に設置して装着し、そのまま光ファイバー固定ユニットに存在させておくことができる。
【００１１】
固定板としては、好ましくはＡＢＳ樹脂、ポリカーボネート樹脂、ポリプロピレン樹脂等から構成され、一方の面に光ファイバーの直径に相当する円の半円形状の溝が並設されている。固定板は、配列された光ファイバーの端面がライン状を呈することのできる長尺の固定板とし、幅、厚さは、光ファイバーを十分挟持し、強度的に確実に固定しうる範囲であれば特に制限はない。また、固定板は、光ファイバーを挟持し得る範囲であれば、ラインが曲線状となる曲面を有していてもよい。
【００１２】
光ファイバーの固定ユニットは、固定板の溝ピッチを任意に変更し得るので任意のピッチに光ファイバーを配列させることができる。また任意の配列長さのユニットとし得る。光ファイバーが挟持されて露出した光ファイバー端面は、必要により研磨し、光の出射部とし、光ファイバーの他方端は、適宜集束して光源に導かれる。
【００１３】
本発明においては、形成した光ファイバーの固定ユニットを、任意の数、配列ピッチの異なるものまたは配列長さの異なるものを組み合わせて用い、配列する光ファイバー端面が所望の長さのライン状になるよう連結する。光ファイバー固定ユニットの連結は、各ユニットを連結板によりユニットの側面で固定する。また、この光ファイバー固定ユニットは、固定板が樹脂で構成されることにより撓みを有し、連結を施工現場にて行ううえでの作業を容易にする。
【００１４】
本発明においては、かかる光ファイバーの固定ユニットの形成によりライン状ライトガイドを簡易に得ることができ、また固定ユニットの連結により、任意の長さのライン状ライトガイドを容易に得ることができる。得られたライン状ライトガイドは、公知の任意の方法により所定の場所、部位に取り付けることができる。
【００１５】
【実施例】
本発明を図面に示した実施例より説明すると、図１は、光ファイバー固定ユニットにおける２個の固定板Ａ、Ｂの平面図で、固定板Ａ、Ｂは、それぞれＡＢＳ樹脂からなり長さ１００ｍｍ、幅３０ｍｍ、厚さ７ｍｍの固定板で、固定板Ａ、Ｂの向かい合う面には半円形状の溝１が複数並設され、固定板Ａ、Ｂの対向して形成されるほぼ円形状の各溝間にてプラスチック光ファイバー２が挟持され、ネジ４で固定した光ファイバー固定ユニットが形成される。固定ユニットは連結板３により連結される。図２は、光ファイバー固定ユニットにおける固定板Ｂの側面図、図３は、光ファイバー固定における光ファイバーの挟持幅を制御する幅固定治具装着の概念図であり、図３中、５は板状の幅固定治具、６はかすがい状の幅固定治具を示す。
【００１６】
【発明の効果】
本発明によれば、光学ファイバーを、長さに制約がなく、任意のピッチに並べた光ファイバー固定ユニットを容易に形成し得ることにより、所望のライン長のライン状ライトガイドを簡易に得ることができる。
【図面の簡単な説明】
【図１】本発明の光ファイバー固定ユニットにおける２個の固定板Ａ、Ｂの平面図である。
【図２】本発明の光ファイバー固定ユニットにおける固定板Ｂの側面図である。
【図３】光ファイバー固定における幅固定治具装着の概念図である。
【符号の説明】
Ａ  固定板
Ｂ  固定板
１  半円形状溝
２  光ファイバー
３  連結板
４  固定ネジ
５  板状の幅固定治具
６  かすがい状の幅固定治具
【図１】
0003736878.tif 000002
【図２】
0003736878.tif 000003
【図３】
0003736878.tif 000004